(57)【要約】【課題】占有空間を減少可能な分離式旅行かばんを提供する。【解決手段】ファスナー４０は、上エレメント４１、下エレメント４２、二つの固定ユニット、二つのピンおよび二つのスライダー４５を有する。上エレメント４１はフロントシェル２０の側面部２４の周縁に装着される。下エレメント４２はバックシェル３０の側面部３４の周縁に装着される。二つの固定ユニットは下エレメント４２の末端に装着される。二つのピンは上エレメント４１の末端に別々に配置され、かつ固定ユニットに接合される。二つのスライダー４５は上エレメント４１と下エレメント４２との間をスライドし、上４１エレメントと下エレメント４２とを連結させることができる。このような分離式旅行かばん１０によるとフロントシェル２０とバックシェル３０とを分離してフロントシェル２０をバックシェル３０内に収めることができるため、占有空間を減少させることができる。【選択図】  図３
2011024720.tif 000002
【特許請求の範囲】
【請求項１】
面部および面部の周縁から延びて形成された側面部を有するフロントシェルと、
底部および底部の周縁から延びて形成された側面部を有するバックシェルと、
フロントシェルの側面部の周縁に装着される上エレメントと、バックシェルの側面部の周縁に装着される下エレメントと、下エレメントの末端に別々に装着される二つの固定ユニットと、上エレメントの末端に別々に配置されかつ固定ユニットに接合される二つのピンと、上エレメントと下エレメントとの間をスライドしかつ上エレメントと下エレメントとを連結させることが可能である二つのスライダーと、を有するファスナーと、
を備えることを特徴とする分離式旅行かばん。
【請求項２】
上エレメントの二つの末端は、ピンに接する握り部を別々に有することを特徴とする請求項１に記載の分離式旅行かばん。
【請求項３】
面部および面部の周縁から延びて形成された側面部を有するフロントシェルと、
底部および底部の周縁から延びて形成された側面部を有するバックシェルと、
フロントシェルの側面部の周縁に装着される上エレメントと、バックシェルの側面部の周縁に装着される下エレメントと、下エレメントの第一端に装着される固定ユニットと、下エレメントの第一端に配置されかつ固定ユニットに接合されるピンと、上エレメントと下エレメントとの間をスライドしかつ上エレメントと下エレメントとを連結させることが可能であるスライダーと、上エレメントの第二端および下エレメントの第二端に別々に配置される二つのストッパーと、を別々に有する二つのファスナーと、
を備えることを特徴とする分離式旅行かばん。
【請求項４】
二つのファスナーは、上エレメントの第一端が隣り合い、上エレメントの第二端が隣り合うことを特徴とする請求項３に記載の分離式旅行かばん。
【請求項５】
上エレメントの第一端は、ピンに接する握り部を有することを特徴とする請求項３に記載の分離式旅行かばん。
【発明の詳細な説明】
【技術分野】
【０００１】
本発明は、旅行かばんに関し、特に、シェルを取り替え、収納スペースを減少させることを可能にする分離式旅行かばんに関する。
【背景技術】
【０００２】
一般の旅行かばんは、フロントシェル、バックシェル、ファスナーおよびフロントシェルとバックシェルとの間に形成された連結部を備える。フロントシェルは、連結部によってバックシェルと連結され、かつバックシェルに対し旋転することによって旅行かばんを開閉することが可能である。ファスナーは、旅行かばんの開閉に用いるためフロントシェルとバックシェルとの間に装着される。バックシェルは、旅行かばんを滑走させるためにキャスターおよび伸縮ハンドルを有する。
【０００３】
旅行かばんは、旅行に出掛ける際に荷物を携帯する利便性をはかることが可能であるが、体積が大きいため、収納に不便である。特に住宅空間が狭くなっている現況において、旅行かばんの収納が悩ましい問題となる。また長期間にわたって使用された旅行かばんは、表面の汚れと破損現象が目立つ。また、旅行かばんの一部分が美観を損なうか使用に耐えられなくなる場合、旅行かばんを処分するしかないため、ごみの量および環境への負担を増やしてしまう。また、旅行かばんはサイズが一定であるため、使用者の異なる需要に応じ容量を調整することができず、使用に不便である。
【発明の概要】
【発明が解決しようとする課題】
【０００４】
本発明の主な目的は、旅行かばんの占有空間を大幅に減少させることを可能にする分離式旅行かばんを提供することである。
また、本発明のもう一つの目的は、使用に耐えられなくなったシェルを交換することによってごみの量および環境への負担を減少させることを可能にする分離式旅行かばんを提供することである。
さらにまた、本発明のもう一つの目的は、需要に応じサイズが異なるシェルを取り替えることによって使用上の利便性を増加させることを可能にする分離式旅行かばんを提供することである。
【課題を解決するための手段】
【０００５】
上述の目的を達成するために、本発明による分離式旅行かばんは、フロントシェル、バックシェルおよびファスナーを備える。フロントシェルは、面部および面部の周縁から延びて形成された側面部を有する。バックシェルは、底部および底部の周縁から延びて形成された側面部を有する。ファスナーは、上エレメント、下エレメント、二つの固定ユニット、二つのピンおよび二つのスライダーを有する。上エレメントはフロントシェルの側面部の周縁に装着される。下エレメントはバックシェルの側面部の周縁に装着される。二つの固定ユニットは下エレメントの末端に装着される。二つのピンは上エレメントの末端に別々に配置され、かつ固定ユニットに接合される。二つのスライダーは上エレメントと下エレメントとの間をスライドし、上エレメントと下エレメントとを連結させることができる。
【図面の簡単な説明】
【０００６】
【図１】本発明の第一実施形態による分離式旅行かばんの斜視図。
【図２】本発明の第一実施形態による分離式旅行かばんの側面図。
【図３】本発明の第一実施形態による分離式旅行かばんが開いた状態を示す模式図。
【図４】本発明の第一実施形態による分離式旅行かばんが分離した状態を示す模式図。
【図５】本発明の第一実施形態による分離式旅行かばんが重なっている状態を示す模式図。
【図６】本発明の第二実施形態による分離式旅行かばんを示す右側面図。
【図７】本発明の第二実施形態による分離式旅行かばんを示す左側面図。
【発明を実施するための形態】
【０００７】
以下、本発明による分離式旅行かばんを図面に基づいて説明する。
（第一実施形態）
図１および図２に示すように、本発明の第一実施形態による分離式旅行かばん１０は、フロントシェル２０、バックシェル３０およびファスナー４０を備える。
フロントシェル２０は、面部２２と、面部２２の周縁から延びて形成された側面部２４と、側面部２４に装着されるスタンド２６とを有する。
【０００８】
バックシェル３０は、底部３２と、底部３２の周縁から延びて形成された側面部３４と、側面部３４に装着される二つのハンドル３６と、側面部３４に装着される二つのキャスター３８と、側面部３４に装着される伸縮ハンドル３９とを有する。
【０００９】
ファスナー４０は、上エレメント４１、下エレメント４２、二つの固定ユニット４３、二つのピン４４、二つのスライダー４５および二つの握り部４６を有する。上エレメント４１はフロントシェル２０の側面部２４の周縁に装着され、環状に形成されている。上エレメント４１は、隣り合う二つの末端４１１と、上エレメント４１の外側に配置される複数の歯頭部４１２とを有する。下エレメント４２は、バックシェル３０の側面部３４の周縁に装着され、環状に形成されている。下エレメント４２は、隣り合う二つの末端４２１と、上エレメント４１の歯頭部４１２と噛み合うように下エレメント４２の外側に配置される複数の歯頭部４２２とを有する。
【００１０】
二つの固定ユニット４３は、下エレメント４２の末端４２１に装着される。二つのピン４４は上エレメント４１の末端４１１に別々に配置され、かつ固定ユニット４３に接合される。本実施形態は、固定ユニットとピンの位置を入れ替える、即ち二つの固定ユニットを上エレメントに装着し、二つのピンを下エレメントに装着することができる。
【００１１】
二つのスライダー４５は、上エレメント４１と下エレメント４２との間をスライドし、上エレメント４１と下エレメント４２とを連結させることができる。スライダー４５が一つの方向に沿ってスライドすれば上エレメント４１の歯頭部４１２と下エレメント４２の歯頭部４２２とを噛み合せることができる。逆にスライダー４５が別の方向に沿ってスライドすれば上エレメント４１の歯頭部４１２と下エレメント４２の歯頭部４２２とを分離させることができる。
【００１２】
二つの握り部４６は、ピン４４を固定ユニット４３に確実に差し込むために、ピン４４に接するように上エレメント４１の末端４１１に別々に配置される。握り部４６は本実施形態において必要不可欠な部品ではないため、状況に応じて握り部４６を配置しないこともできる。
【００１３】
本実施形態による分離式旅行かばん１０の使用方法は一般の旅行かばんとほぼ同じである。二つのスライダー４５を反対方向に沿って図３に示す位置まで開けると、フロントシェル２０を広げ、荷物を整理することができる。さらに二つのスライダー４５を上エレメント４１の末端４１１または下エレメント４２の末端４２１まで開け、二つのピン４４を二つの固定ユニット４３から抜き出すと、図４に示すようにフロントシェル２０とバックシェル３０とを分離させることができる。
【００１４】
本実施形態では、図５に示すように、分離した後、フロントシェル２０をバックシェル３０内に収めることができるため、旅行かばん１０の占有空間を大幅に減少させることができる。フロントシェル２０が破損するか汚れて使用に耐えなくなっても、旅行かばんを捨てる必要はなく、新しいフロントシェル２０を購入し、まだ使用に耐えられるバックシェル３０と組み合わせれば使用を継続することができる。このため、経済負担を軽減させることができるだけでなく、ごみの量および環境への負担を減少させることができる。また、使用者の異なる使用状況に応じ、サイズが異なるフロントシェル２０と同じバックシェル３０とを組み合わせて、容量が異なる旅行かばんを構成することもできるため、極めて便利に使用することができる。
【００１５】
（第二実施形態）
本発明の第二実施形態は、第一実施形態の分離式旅行かばんの構成に変化を加え、例えば一本のファスナーを二本のファスナーに増やすことができる。図６および図７に示すように、本実施形態による分離式旅行かばん５０は、フロントシェル５２、バックシェル５４および二つのファスナー５６を備える。二つのファスナー５６は、上エレメント５８、下エレメント６０、固定ユニット６２、ピン６４、スライダー６６、二つのストッパー６８および一つの握り部７０を別々に有する。
【００１６】
上エレメント５８はフロントシェル５２に装着さる。下エレメント６０はバックシェル５４に装着される。固定ユニット６２は下エレメント６０の第一端６０１に装着される。ピン６４は上エレメント５８の第一端５８１に配置され、かつ接合ユニット６２に接合される。スライダー６６は上エレメント５８と下エレメント６０との間をスライドし、かつ上エレメント５８と下エレメント６０とを連結させることができる。二つのストッパー６８は上エレメント５８の第二端５８２と下エレメント６０の第二端６０２に別々に装着される。握り部７０はピン６４に接するように上エレメント５８の第一端５８１に配置される。
【００１７】
二つのファスナー５６は上エレメント５８の第一端５８１が隣り合い、上エレメント５８の第二端５８２が隣り合う。つまり二つのファスナー５６は一つの環状を共同構成する。二つのファスナー５６を締めれば旅行かばん５０を閉じることができる。二つのファスナー５６を開け、二つのピン６４を二つの固定ユニット６２から抜き出せば、フロントシェル５２とバックシェル５４とを分離させることができる。
【００１８】
以上、本発明は、上記実施形態になんら限定されるものではなく、発明の趣旨を逸脱しない範囲において種々の形態で実施可能である。
【符号の説明】
【００１９】
１０：分離式旅行かばん、２０：フロントシェル、２２：面部、２４：側面部、２６：スタンド、３０：バックシェル、３２：底部、３４：側面部、３６：ハンドル、３８：キャスター、３９：伸縮ハンドル、４０：ファスナー、４１：上エレメント、４１１：末端、４１２：歯頭部、４２：下エレメント、４２１：末端、４２２：歯頭部、４３：固定ユニット、４４：ピン、４５：スライダー、４６：握り部、５０：分離式旅行かばん、５２：フロントシェル、５４：バックシェル、５６：ファスナー、５８：上エレメント、５８１：第一端、５８２：第二端、６０：下エレメント、６０１：第一端、６０２：第二端、６２：固定ユニット、６４：ピン、６６：スライダー、６８：ストッパー、７０：握り部
【図１】
2011024720.tif 000003
【図２】
2011024720.tif 000004
【図３】
2011024720.tif 000005
【図４】
2011024720.tif 000006
【図５】
2011024720.tif 000007
【図６】
2011024720.tif 000008
【図７】
2011024720.tif 000009